(57)【特許請求の範囲】
【請求項１】
ガム等の内容物を収容する収容部と、
紙等の内容物を収納する収納部と、
を有する容器本体が、樹脂成形されてなる紙付きガム容器であって、
前記収納部の底面が、前記紙等の内容物を取り出す取出口に向かって高くなるスロープ形状を有することにより、
前記収納部に収納された最上層の紙を、前記取出口に向かって指等でスライド移動させて前記取出口から取り出し可能に構成したことを特徴とする、紙付きガム容器。
【請求項２】
紙等の内容物を収納する前記収納部に、該収納部を被覆するカバー体を形成し、該カバー体に前記紙等の内容物を指等で取出口に向かってスライド移動可能な、長孔からなる開孔部を形成したことを特徴とする、請求項１記載の紙付きガム容器。
【請求項３】
前記収納部に収納される紙は切取部を介して複数枚連設されていることを特徴とする請求項１乃至２に記載の紙付ガム容器。
【請求項４】
前記収納部の紙の取出口に切欠部が形成されていることを特徴とする請求項１乃至３の何れかに記載の紙付ガム容器。
【請求項５】
前記収納部の紙の取出口に易取出手段が形成されていることを特徴とする請求項１乃至４の何れかに記載の紙付ガム容器。
【請求項６】
前記収納部の紙の取出口に最上層の紙以外の紙が取り出されないようにする  ストッパーが形成されていることを特徴とする請求項１乃至５の何れかに記載の紙付ガム容器。
【請求項７】
前記収納部に収納される紙は潤滑性を付与した加工紙であることを特徴とする請求項１乃至６の何れかに記載の紙付ガム容器。
【発明の詳細な説明】
【０００１】
【発明の属する技術分野】
本発明は、主に粒状あるいはチップ状のガムを裸のまま収容して小出し使用する携帯用のガム容器に関するものである。
【０００２】
【従来の技術】
従来、粒状あるいはチップ状のガムを裸のまま収容して小出し使用する容器には、噛み終えたガムを包んで捨てるための紙（以下、捨て紙という）などが付いていない場合が多く、噛み終わったガムを捨てるのに非常に不便であった。
そこで、実開平７−２２９６７号公報では、噛み終えたガムを包んで捨てることができる銀紙等の捨て紙を付属したガムの包装体を開示している。この公報で開示されているものは、ガムを封入した包装体の外表面に１枚又は複数枚の捨て紙を接着力の弱い接着剤によって引き剥がし可能に積層貼着し、ガムを捨てる際には、その捨て紙を１枚ずつ引き剥がして使用するようになっている。
また、特開平９−２０２３７０号公報では、ガムを収納した外装ケースに捨て紙を添付する包装方法を開示しており、捨て紙をティッシュペーパーのように複数枚積層して封入したパックを外装ケースに付着したり、所定間隔でミシン目が形成されるとともに内面に粘着層が形成された捨て紙を外装ケースに巻き付けたり、２つ折りに折り畳んで複数枚積層貼着した捨て紙を外装ケースに形成した凹部に接着したりしている。
【０００３】
【発明が解決しようとする課題】
しかしながら、ガムの捨て紙を上記のような包装体や外装ケースの外表面に複数枚貼着していると、包装体や外装ケース自体の外観が損なわれる上に、接着剤でシール加工している分、コストが高くなるという問題がある。また、捨て紙用のパックを別途設ける場合では、更にコストが高くなって好ましくない。
その他、貼着せずに複数枚の捨て紙を束ねてバンドリングすることも考えられるが、この場合は使用時にバンドリングを外すのが面倒で、かつ、このバンドリングしたものがゴミになるという不具合がある。
そこで、本発明は、裸のままガムを収容するガム容器において、容器の外観を損なうことなく、かつ、低コストで捨て紙を設けることができる紙付ガム容器をうることを目的とするものである。
【０００４】
【課題を解決するための手段】
以上のような目的を達成するために、本発明は、次のような紙付ガム容器を提供するものである。すなわち、ガム等の内容物を収容する収容部と、紙等の内容物を収納する収納部と、を有する容器本体が、樹脂成形されてなる紙付きガム容器であって、前記収納部の底面が、前記紙等の内容物を取り出す取出口に向かって高くなるスロープ形状を有することにより、前記収納部に収納された最上層の紙を、前記取出口に向かって指等でスライド移動させて前記取出口から取り出し可能に構成したことを特徴とする紙付ガム容器である。そして、紙等の内容物を収納する前記収納部に、該収納部を被覆するカバー体を形成し、該カバー体に前記紙等の内容物を指等で取出口に向かってスライド移動可能な、長孔からなる開孔部を形成したことを特徴とし、更に収納部に収納される紙は切取部を介して複数枚連設されていることを特徴とするものである。また、収納部の紙の取出口に切欠部が形成され、更にその収納部の紙の取出口に易取出手段が形成されていることを特徴とするものである。そして、収納部の紙の取出口に最上層の紙以外の紙が取り出されないようにするストッパーが形成されていることを特徴とするものである。また、収納部に収納される紙は潤滑性を付与した加工紙であるとよい。
【０００５】
【発明の実施の形態】
以下、本発明の実施の形態を図面に示す実施例を基に説明する。
図１は紙付ガム容器の捨て紙が収納される収納部の構成を示す斜視図であり、図２は同じくガムが収容される収容部の構成を示す斜視図である。また、図３は捨て紙を収納したガム容器の断面図であり、図４はガムを収容部から振り出す状態を示す斜視図である。
そして、図５（イ）、（ロ）は捨て紙を収納部より取り出す状態を示す斜視図及び断面図であり、図６（イ）、（ロ）は収納部から取り出した捨て紙を切断する様子を示す斜視図及び断面図である。
また、図７乃至図２１は紙付ガム容器の他の実施例を示す図である。
【０００６】
まず、最初に、図１乃至図６で示す紙付ガム容器（Ａ）について説明をする。
図１、図２で示すように、この紙付ガム容器（Ａ）は、ガムを包んで捨てられる捨て紙を収納する収納部（１０）と粒状あるいはチップ状のガムを裸のまま収容する収容部（３０）とを有する容器本体（１）と、捨て紙が収納された収納部（１０）を被覆するカバー体（２）と、ガムが収容された収容部（３０）を被覆する蓋体（３）とで構成されている。
なお、ガム容器の形状は、図示された直方体形状に限定されるものではなく、任意に設計変更して構わないものである。
【０００７】
紙付ガム容器（Ａ）の容器本体（１）において、捨て紙（５）を収納する収納部（１０）について、まず説明をすると、図１、図３で示すように、容器本体（１）の収納部（１０）の底面（１１）は、捨て紙（５）の取出口（ｍ）側が徐々に高くなるように、即ち取出口（ｍ）に行くに従って底面（１１）が上昇して行くスロープ状に形成されており、その取出口（ｍ）側の側壁（１２）のほぼ中央には略円弧状の切欠部（１３）が形成されている。
なお、図示の底面（１１）は曲線を描くスロープであるが、これに限定されるものではなく、捨て紙（５）の取出口（ｍ）側が徐々に高くなるように形成されていれば、直線的なスロープであっても構わない。
【０００８】
取出口（ｍ）の反対側には容器の幅方向にリブ（１４）が突設されているが、このリブ（１４）は捨て紙（５）の長さによって設けられているので、捨て紙（５）の長さが容器本体（１）の長辺とほぼ同じ長さに構成されていれば不要である。
また、収納部（１０）の側壁外周には、カバー体（２）を嵌着する際の嵌合手段である凸部( １５) が設けられている。
【０００９】
次に、このような収納部（１０）を被覆するカバー体（２）について説明をすると、カバー体（２）の天板（２０）の取出口（ｍ）側寄りには捨て紙（５）が露出する幅広な長孔（２３）が穿設されており、その取出口（ｍ）側の側壁（２２）の上縁部とカバー体（２）の天板（２０）との間には、紙が通過できるような間隙（２４）が形成されている。そして、この取出口（ｍ）側の側壁（２２）の上縁部ほぼ中央には、前述と同様な略円弧状の切欠部（２５）が形成されている。
また、カバー体（２）の側壁内周には凹部（２６）が設けられており、前述の凸部（１５）がその凹部（２６）に嵌合することによって、カバー体（２）が容器本体（１）に嵌着されるようになっている。
しかして、長孔（２３）と、間隙（２４）を形成する天板（２０）と側壁（１２）（２２）とで、図示するような捨て紙（５）の取出口（ｍ）が構成される。
【００１０】
ここで、捨て紙（５）の取出口（ｍ）側の側壁（１２）（２２）に、それぞれほぼ同形状の切欠部（１３）（２５）を設けるのは、長孔（２３）から露出している捨て紙（５）を指等でスライド移動させながら取り出すとき、その側壁（１２）（２２）に指が干渉しないようにするためであって、捨て紙（５）を取り出す操作性を良好にするとともに、捨て紙（５）を取り出しやすくするためのものである。したがって、切欠部（１３）（２５）は設けた方が望ましい。また、側壁（１２）（２２）のうち、少なくとも側壁（１２）の内側上縁部を側断面視で略円弧状に形成したり、斜めに切り欠くなどして、易取出手段を形成すると、更に指が干渉せず、捨て紙（５）をスムーズに取り出せるようになって好ましい。
【００１１】
また、この側壁（１２）は、捨て紙（５）を取り出すとき、最上層の紙だけが取り出せるように、即ち最上層以外の捨て紙（５）は収納部（１０）内に残されるようにするためのストッパーになっており、最上層以外の捨て紙（５）は側壁（１２）に当たって抑止され、最上層の紙のみが押し出されるようになっている。
その他、図示のカバー体（２）は、容器本体（１）とほぼ同形状に形成され、収納部（１０）を含むほぼ全面を覆うように構成されているが、後述する他の実施例で示すように、捨て紙（５）の大きさに合わせて、その一部分だけを覆うように構成してもよい。
【００１２】
収納部（１０）に収納される捨て紙（５）は、図示するように、細長い紙が交互に折り返されて構成されているものであって、その折り返された折罫部分にミシン目のような切り込み（６）が入れられて、切取部（７）が形成されている。
つまり、この捨て紙（５）は切取部（７）を介して複数枚連設された、いわゆる蛇腹状に構成されているものであって、その切取部（７）から１枚ずつ容易に切り離せるようになっている。
したがって、収納部（１０）に捨て紙（５）を装填する際、１枚１枚ばらけた状態の紙を束ねて装填するのに比べ、はるかに装填がしやすく、かつ、連設されているので、収納後にも紙がばらけるようなことはない。
【００１３】
また、機械等で蛇腹状に折り畳むのは容易であり、枚数も例えば８山９枚等に自ずと決まるものであるため、数量の管理もしやすいし、束ねやすいために接着剤でのシール加工が不要となり、コスト的にも安価で済む。
なお、捨て紙（５）の大きさや材質等は特に限定されるものではなく、噛み終わったガムを包んで捨てることができるようになっているものであれば、薄紙、潤滑性を付与した加工紙、パラフィン紙、銀紙、合成紙、フィルムなど、どのようなものでもよい。
【００１４】
薄紙の一例としては、坪量５０ｇ／ｍ2 程度の上質紙や純白紙を挙げることができる。また、潤滑性を付与した加工紙の一例としては、坪量３０ｇ／ｍ2 程度の純白紙の少なくとも片面に、プレスコートしたり、ワックス、シリコン、オーバープリントニス等の潤滑剤をコーティングしたり、ポリエチレンテレフタレート、ポリプロピレン、塩化ビニル等のフィルムをラミネートしたり、ポリエチレン樹脂をエマルジョンコーティングしたりして潤滑性を付与した加工紙を挙げることができる。
特に、捨て紙（５）が潤滑性を付与した加工紙である場合、捨て紙（５）を指で押し出すときに滑り性がよくなって取り出しやすくなるので好ましい。
【００１５】
また、収納部（１０）に捨て紙（５）を装填するときには、最上層の１枚目の紙がそのままスライドして取り出せるように、何も連設されていない端辺側を取出口（ｍ）側に向けて装填する。そして、捨て紙（５）が片面にだけ潤滑性を付与した加工紙である場合には、潤滑性を付与されている面が最上層の紙の上面となるようにして収納部（１０）に装填する方が好ましい。
また、粒ガムは複数個まとめて噛むことがあるので、紙の枚数は粒ガムの個数より少なくてもよい。
【００１６】
次に、内容物である粒ガム（８）が多数収容される収容部（３０）について説明をする。
この収容部（３０）は、粒ガム（８）が多数（例えば４０粒）収容できるスペースを有していればよく、図２で示すものは、４隅に設けられたボス（１６）と蓋体（３）の４隅に設けられたボス（３１）との嵌合によって、蓋体（３）が容器本体（１）に嵌着されるようになっているが、特にこれに限定されるものではなく、前述のように、収容部（３０）における側壁外周と蓋体（３）の側壁内周とを凹凸による嵌合で嵌着できるように構成してもよい。
また、図示のものは、収容部（３０）の一方の短辺側の側壁に粒ガム（８）を振り出すための振出口（Ｍ）が設けられているが、これも特に限定されるものではなく、内容物である粒ガム（８）を良好に振り出すことができる部位であれば、どこに設けてもよい。
【００１７】
また、振出口（Ｍ）を覆うキャップ（１７）がヒンジ部を介して容器本体（１）に設けられ、図４で示すように、キャップ（１７）の両側部に設けられた突起（１８）が、収容部（３０）の側壁に係止されることによって振出口（Ｍ）を閉塞するようになっている。そして、キャップ（１７）の上端には、容器本体（１）に蓋体（３）を嵌着したとき、蓋体（３）の上面から突出する掛止部（１９）が突設されて、指等での開閉操作が楽に行えるようになっているが、これらキャップ（１７）の形状等や係止方法も図示のものに限定されるものではなく、振出口（Ｍ）を閉塞できるとともに片手で開閉操作ができるものであれば、どのような構造のキャップでもよく、任意に設計変更して構わない。
【００１８】
その他、蓋体（３）の一方の短辺側の側壁にはキャップ（１７）とほぼ同じ幅の切欠部（３２）が設けられているが、これは、蓋体（３）を容器本体（１）に嵌着したときに、振出口（Ｍ）を塞がないようにするためのものであり、振出口（Ｍ）の形状によっては設けなくてもよいものである。
また、粒ガム（８）を収容する収容部（３０）の内部形状等も図示されたものに限定されるものではなく、粒ガム（８）の振り出される量を規制するためのリブを設けるなど、任意に設計変更して構わない。
【００１９】
次に、その紙付ガム容器（Ａ）から捨て紙（５）を取り出す様子を、図５、図６を基に説明する。
噛み終わったガムを捨てる際、まず、図５で示すように、カバー体（２）の長孔（２３）から露出している１番上の紙、即ち最上層の紙（５ａ）を指で押さえながら取出口（ｍ）側に向かってスライド移動させ、カバー体（２）の天板（２０）と側壁（２２）との間に形成した間隙（２４）から紙（５ａ）を押し出す。なお、このとき、収納部（１０）の底面（１１）が取出口（ｍ）側が高くなるようにスロープ状に形成され、側壁（１２）の内側上縁部が側断面視で略円弧状に形成されるとともに、その側壁（１２）が残りの捨て紙（５）のストッパーになっているため、最上層の紙（５ａ）だけがスムーズに取出口（ｍ）から取り出される。
【００２０】
そして、図６で示すように、取出口（ｍ）側の側壁（１２）（２２）に切取部（７）が達するまで紙（５ａ）を引き出せたら、その側壁（１２）（２２）の上縁部を利用して、切取部（７）の切り込み（６）に沿って紙（５ａ）を切断する。
なお、このとき、次の紙（５ｂ）は半分折り返された状態のままになるが、カバー体（２）で上方から抑止しているので何ら問題はなく、また、捨て紙（５）は蛇腹状になっているため、順次押し出しやすく、このような押し出し動作を繰り返し行えば、最後の紙まで容易に取り出すことができる。
【００２１】
さて、本発明にかかる紙付ガム容器（Ａ）は以上のようなものであるが、次に図７乃至図２１で示す他の実施例について説明する。なお、前述と同等なものには同じ符号を付して説明を省略する。
図７、図８で示す紙付ガム容器（Ｂ）は、カバー体（２）の形状を変えたものであり、カバー体（２）を収納部（１０）よりも少し大きめに形成し、カバー体（２）の取出口（ｍ）とは反対側の両側部を略半分切り欠いて中央に舌片（２７）が形成されるようにするとともに、その舌片（２７）の下面にボス（２８）を突設したものである。なお、この場合、容器本体（１）の取出口（ｍ）とは反対側には上面（４１）を形成し、その上面（４１）の収納部（１０）寄りの中央に舌片（２７）の一部が嵌入される段差部（４２）を設けるとともに、その段差部（４２）の中央に舌片（２７）のボス（２８）が嵌合する穴部（４３）を設ける。
【００２２】
しかして、カバー体（２）は、前述と同様な凹部（２６）と凸部（１５）の嵌合と、ボス（２８）と穴部（４３）の嵌合により、容器本体（１）に嵌着される。なお、この段差部（４２）の深さは舌片（２７）の厚さとほぼ同じであることが望ましく、舌片（２７）を段差部（４２）に嵌合させたとき、カバー体（２）の上面（２１）が容器本体（１）の上面（４１）と同一平面になるようにして、外観を損なわないようにするのが望ましい。また、カバー体（２）に形成した切欠部（２９）に相対する容器本体（１）の側壁には凸部（１５）を設ける必要はない。
また、この実施例に関連して、図９で示す紙付ガム容器（Ｃ）のように、カバー体（２）の一側方をヒンジ部（４０）を介して容器本体（１）に連設して構成しても構わない。
【００２３】
また、図１０で示す紙付ガム容器（Ｄ）も、カバー体（２）の形状を変えたものであり、カバー体（２）の取出口（ｍ）側の側壁（２２）をなくすとともに、カバー体（２）の大きさを収納部（１０）の大きさとほぼ同じ大きさに構成したものである。なお、この紙付ガム容器（Ｄ）の場合、カバー体（２）を取出口（ｍ）側からスライド移動させて容器本体（１）に嵌着することができる。
そして、この実施例に関連して、図１１で示す紙付ガム容器（Ｅ）のように、カバー体（２）の一側方をヒンジ部（４０）を介して容器本体（１）に連設して構成してもよい。
【００２４】
一方、図１２で示す紙付ガム容器（Ｆ）は、カバー体（２）を枠状に形成したものであって、容器本体（１）にガムを収容した後、蓋体（３）を前述のようにボスの嵌合等によって嵌着し、容器本体（１）に形成された収納部（１０）に捨て紙（５）を収納した後、枠状のカバー体（２）でその収納部（１０）を被覆したものである。このカバー体（２）は４隅下面に設けられたボス（２８）を、容器本体（１）の収納部（１０）周辺に形成された段差部（４２）の４隅上面に穿設された穴部（４３）に嵌合させて嵌着するようになっている。なお、この場合も段差部（４２）の深さをカバー体（２）の厚さとほぼ同じにすることが望ましく、カバー体（２）を段差部（４２）に嵌合させたとき、そのカバー体（２）の上面（２１）が容器本体（１）の上面（４１）と同一平面になるようにして、外観を損なわないようにするのが望ましい。
【００２５】
また、図１３で示すように、カバー体（２）の両側部（３３）は、捨て紙（５）の周囲を極僅かに覆うような幅に形成するのが望ましく、カバー体（２）の取出口（ｍ）側には内方に向かって屈曲成形された略半円弧状の抑え部（３４）を形成し、取出口（ｍ）とは反対側の２隅内方側には略１／４円弧状の抑え部（３５）を形成して、収容された捨て紙（５）を好適に抑えられるようにするのが望ましい。
また、この枠状カバー体（２）の別実施例としては、図１４、図１５で示すようなカバー体でもよく、図１４で示すカバー体（２）には取出口（ｍ）側の両側部（３３）に略三角形状の抑え部（３６）が形成され、取出口（ｍ）とは反対側の２隅内方側には略三角形状の抑え部（３５）が形成されている。そして、図１５で示すカバー体（２）は容器幅方向に長い長方形状に形成されている。
何れにしても収納部（１０）に収納した捨て紙（５）を好適に抑えられるようになっているものであれば、枠状カバー体（２）の形状はどのような形状でもよい。
【００２６】
更に、図１６、図１７で示す紙付ガム容器（Ｇ）は、その枠状カバー体（２）にヒンジ部を介してキャップ（１７）を設けたものであり、容器本体（１）に収納部（１０）を設けるとともに、その収納部（１０）近傍の容器本体上面にガムの振出口（Ｍ）を設けたものである。
このカバー体（２）も前述と同様にボス（２８）と穴部（４３）の嵌合によって容器本体（１）に嵌着されるものであり、容器本体（１）の振出口（Ｍ）は段差部（４２）と同一平面上に穿設されている。また、その振出口（Ｍ）近傍の側壁（１２）上部にはリブ（４４）が形成されており、キャップ（１７）の内面に形成した突起（１８）をそのリブ（４４）に係止させて振出口（Ｍ）を閉塞するようになっている。なお、このカバー体（２）には、取出口（ｍ）側の両側部（３３）に抑え部（３６）が、取出口（ｍ）とは反対側の２隅内方側には抑え部（３５）がそれぞれ形成され、更にその抑え部（３６）と抑え部（３５）の間の両側部（３３）に略半円弧状の抑え部（３７）が形成されている。
【００２７】
また、図１８で示す紙付ガム容器（Ｈ）は、容器本体（１）内に収納部（１０）となるトレイ（４）をセットし、蓋体を兼用するカバー体（２）を容器本体（１）に嵌着してなるものであり、トレイ（４）は容器本体（１）の側壁（１２）上面にその両側部（４５）を載架してセットするようになっている。
この紙付ガム容器（Ｈ）のカバー体（２）には前述の長孔（２３）と同等な開孔部（３９）が穿設されており、開孔部（３９）の周縁には前述と同様な抑え部（３６）と抑え部（３７）が形成されるとともに、取出口（ｍ）とは反対側の中央に略半円弧状の抑え部（３８）が形成されている。その他、容器本体（１）にはヒンジ部を介してキャップ（１７）が設けられている。
【００２８】
また、図１９で示す紙付ガム容器（Ｊ）は、容器本体（１）内に、収納部（１０）と振出口（Ｍ）を有するトレイ（９）を載置し、蓋体を兼用するカバー体（２）を容器本体（１）に嵌着してなるものであり、このトレイ（９）には収納部（１０）を適切な高さに保持するためのリブ状の支持部（４６）が垂設されている。
この紙付ガム容器（Ｊ）のカバー体（２）にはヒンジ部を介してキャップ（１７）が設けられており、前述と同様な開孔部（３９）が穿設されている。そして、その開孔部（３９）の周縁には前述と同様な抑え部（３６）、抑え部（３７）、抑え部（３８）が形成されている。
【００２９】
また、図２０で示す紙付ガム容器（Ｋ）のように、容器本体（１）の内部に仕切部（４７）を設け、一方にガムの収容部（３０）を、他方に捨て紙（５）の収納部（１０）をそれぞれ形成して、キャップ（１７）の付いた蓋体を兼用するカバー体（２）を容器本体（１）に嵌着して構成したり、図２１で示す紙付ガム容器（Ｌ）のように、収容部（３０）と収納部（１０）とを容器本体（１）のそれぞれ反対側の面に設けて、収容部（３０）にキャップ（１７）付き蓋体（３）を、収納部（１０）にカバー体（２）をそれぞれ嵌着して構成してもよい。
なお、図２０、図２１で示すカバー体（２）には長孔（２３）が穿設されている。
【００３０】
以上、何れにしても本発明は、裸のままガムが収容されるガム容器において、噛み終わったガムを捨てることができる捨て紙を、容器の外観を損なうことなく、かつ、低コストで付属させたものであって、その捨て紙を切取部を介して複数枚連設した、いわゆる蛇腹状に構成するとともに、その捨て紙を収納する収納部の底面を、取出口側が高くなるようなスロープ状に形成したことを特徴とするものである。
したがって、捨て紙が好適に取り出せるように構成されていれば、取出口の位置等も任意に設計変更して構わないものであり、上記他の実施例のように、側壁から少し離れた位置に設けても何ら問題はない。このような位置に取出口を設けると、カバー体を容器本体に嵌着するとき、蓋体と同様に４隅に設けたボスの嵌合によって組み立てることが可能となる。
なお、これら容器本体（１）、カバー体（２）、蓋体（３）及びトレイ（４）（９）は、ポリプロピレン、ポリエチレン、ポリスチレン等の熱可塑性樹脂を用いて所定形状に成形することにより得られるものである。
【００３１】
【発明の効果】
本発明によれば、ガム等の内容物を収容する収容部と、紙等の内容物を収納する収納部と、を有する容器本体が、樹脂成形されてなる紙付きガム容器であって、前記収納部の底面が、前記紙等の内容物を取り出す取出口に向かって高くなるスロープ形状を有することにより、前記収納部に収納された最上層の紙を、前記取出口に向かって指等でスライド移動させて前記取出口から取り出し可能に構成したので、紙を貼着することなく収納できてコストダウンが図れ、容器の外観を損なうこともない。そして、収納部の底面が紙の取出口に向かって高くなるスロープ状に形成されているため、指等で簡単に紙を１枚ずつ連続的にスムーズに取り出せる。また、その紙は切取部を介して連設されているものであるため、切り離しがしやすい上に、収納部への装填時にはばらけるようなこともなく、枚数も決まっているため、数量の管理がしやすいし、シール加工する必要がないためコスト的にも安価で済む。
【００３２】
また、紙等の内容物を収納する前記収納部に、該収納部を被覆するカバー体を形成し、該カバー体に前記紙等の内容物を指等で取出口に向かってスライド移動可能な、長孔からなる開孔部を形成し、また、紙の取出口に切欠部が形成され、更にその取出口に易取出手段が形成されていると、紙をよりスムーズに、かつ、操作感よく取り出せる。そして、紙の取出口に最上層の紙以外の紙が取り出されないようにするストッパーが形成されていると、紙を取り出すときには最上層の紙だけが好適に取り出せて、使用性が非常によい。また、特に、その紙が潤滑性を付与した加工紙であると、紙の滑り性がよくなって取り出しやすくなり、更に使用性が向上する。
【００３３】
したがって、ガムを捨てるための紙の取り出し操作が片手でもってきわめて簡単にできるとともに、内容物である粒状あるいはチップ状のガムを振り出す操作感も非常によい、携帯性及び使用性に優れた紙付ガム容器が得られる。
また、それらの取り出し方が一目でわかるとともに、その取り出す構造が斬新なため、消費者の購買意欲をそそることができる。
【図面の簡単な説明】
【図１】紙付ガム容器の捨て紙が収納される収納部の構成を示す斜視図
【図２】同上のガムが収容される収容部の構成を示す斜視図
【図３】捨て紙を収納したガム容器の断面図
【図４】ガムを収容部から振り出す状態を示す斜視図
【図５】（イ）捨て紙を収納部より取り出す状態を示す斜視図
（ロ）捨て紙を収納部より取り出す状態を示す断面図
【図６】（イ）収納部から取り出した捨て紙を切断する様子を示す斜視図
（ロ）収納部から取り出した捨て紙を切断する様子を示す断面図
【図７】紙付ガム容器の他の実施例を示す斜視図
【図８】同上の捨て紙が収納される収納部の構成を示す斜視図
【図９】紙付ガム容器の他の実施例を示す斜視図
【図１０】紙付ガム容器の他の実施例の捨て紙が収納される収納部の構成を示す斜視図
【図１１】紙付ガム容器の他の実施例を示す斜視図
【図１２】紙付ガム容器の他の実施例の捨て紙が収納される収納部の構成を示す斜視図
【図１３】同上の平面図
【図１４】同上の他の実施例の平面図
【図１５】同上の他の実施例の平面図
【図１６】紙付ガム容器の他の実施例の捨て紙が収納される収納部の構成を示す斜視図
【図１７】同上の断面図
【図１８】紙付ガム容器の他の実施例の捨て紙が収納される収納部の構成を示す斜視図
【図１９】紙付ガム容器の他の実施例の捨て紙が収納される収納部の構成を示す斜視図
【図２０】紙付ガム容器の他の実施例の断面図
【図２１】紙付ガム容器の他の実施例の断面図
【符号の説明】
Ａ〜Ｌ  紙付ガム容器
ｍ    取出口
Ｍ    振出口
１    容器本体
２    カバー体
３    蓋体
４    トレイ
５    捨て紙
６    切り込み
７    切取部
８    粒ガム
９    トレイ
１０    収納部
１１    底面
１２    側壁
１３    切欠部
１４    リブ
１５    凸部
１６    ボス
１７    キャップ
１８    突起
１９    掛止部
２０    天板
２１    上面
２２    側壁
２３    長孔
２４    間隙
２５    切欠部
２６    凹部
２７    舌片
２８    ボス
２９    切欠部
３０    収容部
３１    ボス
３２    切欠部
３３    側部
３４〜３８  抑え部
３９    開孔部
４０    ヒンジ部
４１    上面
４２    段差部
４３    穴部
４４    リブ
４５    側部
４６    支持部
４７    仕切部
【図１】
0004000385.tif 000002
【図２】
0004000385.tif 000003
【図３】
0004000385.tif 000004
【図４】
0004000385.tif 000005
【図５】
0004000385.tif 000006
【図６】
0004000385.tif 000007
【図７】
0004000385.tif 000008
【図８】
0004000385.tif 000009
【図９】
0004000385.tif 000010
【図１０】
0004000385.tif 000011
【図１１】
0004000385.tif 000012
【図１２】
0004000385.tif 000013
【図１３】
0004000385.tif 000014
【図１４】
0004000385.tif 000015
【図１５】
0004000385.tif 000016
【図１６】
0004000385.tif 000017
【図１７】
0004000385.tif 000018
【図１８】
0004000385.tif 000019
【図１９】
0004000385.tif 000020
【図２０】
0004000385.tif 000021
【図２１】
0004000385.tif 000022